(57)【要約】【課題】展開・折り畳みが簡単であるとともに、携帯に便利な折り畳み式テーブルを提供する。【解決手段】一対の天板１１と、天板１１の両端部における裏面に設けられ、該天板１１を裏面側に折り畳み自在であるとともに平面状態に展開自在に枢支する一対の天板ヒンジ部材１３と、天板ヒンジ部材１３の下部に固定され、天板１１の折り畳みおよび展開方向と略直角方向に延長するヒンジ軸２０を有する一対の脚ヒンジ部材１７と、脚ヒンジ部材１７のヒンジ軸２０にそれぞれ基端部が回動自在に枢支され、開脚時に着地面に対して広脚支持し、閉脚時に天板１１の裏面側に平行に引き揃え自在な一対の支持脚２１を有する脚体１２と、支持脚２１に設けられ、開脚時に展開状態の前記天板の裏面側を支持して該天板１１を平面状態に支持する天板支持部材２３と、脚ヒンジ部材１７に設けられ、支持脚２１を展開方向に付勢し、天板１１の展開に伴って支持脚２１が自動的に展開させる付勢ばね２０ａとを具備したことを特徴とする。【選択図】図４
2009207841.tif 000002
【特許請求の範囲】
【請求項１】
同一サイズの一対の天板と、前記天板の両端部における裏面に設けられ、該天板を裏面側に折り畳み自在であるとともに平面状態に展開自在に枢支する一対の天板ヒンジ部材と、前記天板ヒンジ部材の下部に固定され、前記天板の折り畳みおよび展開方向と略直角方向に延長するヒンジ軸を有する一対の脚ヒンジ部材と、前記一対の脚ヒンジ部材のヒンジ軸にそれぞれ基端部が回動自在に枢支され、開脚時に着地面に対して広脚支持し、閉脚時に前記一対の天板の裏面側に折り畳み自在な一対の支持脚を有する脚体と、前記一対の支持脚に設けられ、開脚時に展開状態の前記天板の裏面側を支持して該天板を平面状態に支持する天板支持部材と、前記脚ヒンジ部材に設けられ、前記支持脚を展開方向に付勢し、前記天板の展開に伴って前記一対の支持脚が自動的に展開させる付勢ばねとを具備したことを特徴とする折り畳みテーブル。
【請求項２】
前記脚ヒンジ部材のヒンジ軸は、前記天板から離れる方向に従って該天板の外縁部方向に傾斜しており、前記脚体は開脚時に着地面に対して広脚支持されることを特徴とする請求項１記載の折り畳みテーブル。
【発明の詳細な説明】
【技術分野】
【０００１】
本発明は、例えば、折り畳み、展開が簡単であり、特にテント内で使用するのに便利な小型、簡易型の折り畳みテーブルに関する。
【背景技術】
【０００２】
折り畳み、展開が簡単で、行楽地等に携帯して野外で使用するに便利な折り畳みテーブルが知られている（例えば、特許文献１参照。）。特許文献１の折り畳みテーブルは、連結手段で折り畳み且つ展開自在に連結された複数の板部材からなる天板と、これら天板の下部へ折り畳み可能に中心の板部材に各々取り付けられる一対のテーブル用脚構造とから構成されている。そして、それぞれ一対のテーブル用脚構造は、２本の脚からなり、一端が一方の脚に固定され、他端が他方の脚に摺動可能に取り付けられる部材が、対称的に２本の脚に取り付けられるリンク構造により、それぞれ脚は、略平行状態の閉脚状態と、上端が近接したまま、かつ着地部分が離れる開脚状態との間で開閉可能に構成されている。
【特許文献１】特許第３５９９７２４号公報
【発明の開示】
【発明が解決しようとする課題】
【０００３】
しかしながら、特許文献１の折り畳みテーブルは、屋外で、屋外用椅子とセットとして使用する場合に適している。しかし、テント内のように狭いスペースで、しかも天井の低い空間で使用するテーブルとしては不向きであり、テント内のように限られたスペースでは小型、簡易型で、折り畳み、展開が簡単にできる折り畳みテーブルが望まれている。
【０００４】
本発明は、前記事情に着目してなされたもので、その目的とするところは、折り畳み、展開が簡単であるとともに、例えば、テントのように狭いスペースで使用する場合に便利で、物置台としても利用できる折り畳みテーブルを提供することにある。
【課題を解決するための手段】
【０００５】
本発明は、前記目的を達成するために、請求項１は、同一サイズの一対の天板１１と、前記天板１１の両端部における裏面に設けられ、該天板１１を裏面側に折り畳み自在であるとともに平面状態に展開自在に枢支する一対の天板ヒンジ部材１３と、前記天板ヒンジ部材１３の下部に固定され、前記天板１１の折り畳みおよび展開方向と略直角方向に延長するヒンジ軸２０を有する一対の脚ヒンジ部材１７と、前記一対の脚ヒンジ部材１７のヒンジ軸２０にそれぞれ基端部が回動自在に枢支され、開脚時に着地面に対して広脚支持し、閉脚時に前記一対の天板１１の裏面側に折り畳み自在な一対の支持脚２１を有する脚体１２と、前記一対の支持脚２１に設けられ、開脚時に展開状態の前記天板の裏面側を支持して該天板１１を平面状態に支持する天板支持部材２３と、前記脚ヒンジ部材１７に設けられ、前記支持脚２１を展開方向に付勢し、前記天板１１の展開に伴って前記一対の支持脚２１が自動的に展開させる付勢ばね２０ａとを具備したことを特徴とする折り畳みテーブルにある。
【０００６】
請求項２は、請求項１の前記脚ヒンジ部材１７のヒンジ軸２０は、前記天板１１から離れる方向に従って該天板１１の外縁部方向に傾斜しており、前記脚体１２は開脚時に着地面に対して広脚支持されることを特徴とする。
【発明の効果】
【０００７】
本発明によれば、脚体と天板が連結状態で、脚体の展開に連動して天板が展開し、脚体の折り畳みに連動して天板が折り畳まれるため、折り畳み、組み立てが簡単かつスムーズに行える。さらに、小型・軽量で、携帯に便利であり、脚体が開脚時には広脚支持され、安定した状態に設置できるという効果がある。
【発明を実施するための最良の形態】
【０００８】
以下、本発明の実施の形態を図面に基づいて説明する。
【０００９】
図１は折り畳みテーブルの展開時の斜視図、図２は折り畳みテーブルの折り畳み時の斜視図、図３は折り畳みテーブルの展開時の側面図である。図１〜図３に示すように、折り畳みテーブル１０は、天板１１と脚体１２とから構成されている。天板１１は、例えばアルミニウム等の軽量金属、合成樹脂、木材等によって矩形状に形成された同一サイズの一対の部材から構成されている。
【００１０】
一対の天板１１を平面的に並べたときの隣り合う側縁の両端部における裏面には一対の天板ヒンジ部材１３が設けられている。これら天板ヒンジ部材１３は同一構造であるため、その一方について説明すると、図４〜図６に示すように、各天板１１の裏面における側縁には固定部１４ａと、この固定部１４ａから起立する一対の起立部１４ｂからなり、断面が略コ字状に折曲された固定金具１４が設けられている。この固定金具１４の固定部１４ａはそれぞれの天板１１の裏面にリベット１５によって固定されている。固定金具１４の一対の起立部１４ｂ間には横方向（天板１１と平行）にボルト１６が貫通して設けられている。さらに、一対の固定金具１４間には両者に跨るように脚ヒンジ部材１７が設けられている。この脚ヒンジ部材１７は基端部１７ａが前記ボルト１６によって回動自在に連結されており、脚ヒンジ部材１７に対して一対の天板１１が裏面側に折り畳み自在であるとともに平面状態に展開自在に枢支されている。
【００１１】
脚ヒンジ部材１７の基端部１７ａには板状体を折曲し、側面視で略三角形状に形成されたヒンジ部材本体１８が下方に突出して設けられている。ヒンジ部材本体１８はボルト１６と平行の水平部１８ａから下方に突出する傾斜面部１８ｂおよび水平部１８ａと傾斜面部１８ｂの先端部とを連結する傾斜する補強部１８ｃとによってアングル部１８ｄが形成されている。さらに、水平部１８ａの側部および補強部１８ｃの先端部には水平方向に固定片１９ａ，１９ｂが一体に設けられている。
【００１２】
固定片１９ａ，１９ｂ間には傾斜面部１８ｂと平行に２本のヒンジ軸２０が架設されている。したがって、ヒンジ軸２０は天板１１から離れる方向に従って該天板１１の外縁部方向の傾斜しており、これらヒンジ軸２０には前記脚体１２が回動自在に枢支されている。
【００１３】
脚体１２は、例えばアルミニウムダイキャスト、合成樹脂、木材等からなる一対の支持脚２１を有しており、支持脚２１の基端部２１ａにはヒンジ軸２０に回動自在に嵌合する嵌合孔が設けられている。支持脚２１には斜め下方に突出する脚固定部２２と水平方向に突出する天板支持部材２３とが一体に設けられている。さらに、ヒンジ軸２０には付勢ばね２０ａが巻装され、支持脚２１を展開方向に付勢し、天板１１の展開に伴って一対の支持脚２１が自動的に開脚するようになっている。
【００１４】
脚固定部２２は断面がコ字状であり、この脚固定部２２には角筒状の支持体２４がリベットまたは固定ねじ２５によって固定されている。なお、脚固定部２２と支持体２４とは一体でもよい。したがって、支持体２４は開脚時に着地面Ｌに対して広脚支持されるようになっている。さらに、天板支持部材２３には先端部に上方に突出する合成樹脂製の支持部２６が固定され、天板１１の展開時に天板１１をその裏面で水平状態に支持できるようになっている。また、脚体１２はヒンジ軸２０を支点として閉脚したとき、一対の天板１１の裏面側に支持体２４が折り畳みられるようになっている。さらに、キャッチャー部材２７は、一対の支持体２４の一方に設けられた係合孔２７ａと、この係合孔２７ａに弾性的に係合する係合突起部２７ｂとから形成され、係合突起部２７ｂが係合孔２７ａに弾性係合して一対の支持体２４を付勢ばね２０ａの付勢力に抗して折り畳み状態に保持できるようになっている。なお、キャッチャー部材２７は一対の支持体２４を引き離すことにより、係合突起部２７ｂと係合孔２７ａとの係合が解除される。
【００１５】
このように構成された折り畳みテーブル１０によれば、天板１１の設けられた一対の脚体１２が開脚時に着地面Ｌに対して広脚支持されるとともに、一対の脚体１２にそれぞれ開脚時に着地面Ｌに対して広脚支持される支持体２４を有する支持脚２１を有している。したがって、開脚時の安定性が増し、テントの中のように地面等の着地面Ｌが水平面でない場所においても安定した状態に設置できる。
【００１６】
また、一対の支持脚２１を付勢ばね２０ａに抗してヒンジ軸２０に対して回動させ、一対の天板１１の中央部に移動させると、支持体２４が平行に引き揃えられる。そして、キャッチャー部材２７の係合孔２７ａに対して係合突起部２７ｂが弾性係合して一対の支持体２４は付勢ばね２０ａの付勢力に抗して折り畳み状態に保持される。一対の支持脚２１が引き揃えられると同時に、天板１１は天板ヒンジ部材１３のボルト１６を支点として折り畳まれ、脚体１２を一対の天板１１の間に介在した状態に折り畳まれる。
【００１７】
したがって、折り畳みテーブル１０は、置き台としても利用でき、天板１１と脚体１２が一体的に連結された構造であり、別部材（部品）がないため、別部材を紛失することもなく、展開・折り畳みが簡単で、しかもコンパクトに折り畳むことができ、手提げ袋等に収納して携帯できる。
【００１８】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００１９】
【図１】本発明の第１の実施形態を示し、折り畳みテーブルの展開時の斜視図。
【図２】同実施形態を示し、折り畳みテーブルの折り畳み時の斜視図。
【図３】同実施形態を示し、折り畳みテーブルの展開時の側面図。
【図４】同実施形態を示し、図３の矢印Ａ方向から見た側面図。
【図５】同実施形態を示し、図４のＢ−Ｂ線に沿う断面図。
【図６】同実施形態を示し、キャッチャーの断面図。
【符号の説明】
【００２０】
１０…折り畳みテーブル、１１…天板、１２…脚体、１３…天板ヒンジ部材、１７…脚ヒンジ部材、２０…ヒンジ軸、２０ａ…付勢ばね、２１…支持脚、２３…天板支持部材
【図１】
2009207841.tif 000003
【図２】
2009207841.tif 000004
【図３】
2009207841.tif 000005
【図４】
2009207841.tif 000006
【図５】
2009207841.tif 000007
【図６】
2009207841.tif 000008